(57)【要約】      （修正有）【課題】多様なグラスを安定して一度に運搬できると同時に、シンプル構造・小型・軽量で狭い場所での取廻しや配膳が容易であり、かつ、イベントやアウトドアでも使用できる携帯性・堅牢性を有しながらゴミとならずに繰返し利用できるグラスキャリアを提供する。【解決手段】硬質の一枚板状のキャリアに円形の貫通穴（ホール）をつくり、そのホールとキャリアの縁との間を、ホールよりも狭い寸法幅でつなぐ貫通した開口部を設けたホール・開口部構造ＯＨ−１を設ける。【選択図】図１
0003199427.tif 000002
【実用新案登録請求の範囲】
【請求項１】
グラス・マグ・コップ・カップなどの容器（以下、これらの容器をまとめてグラスと記載する。）を運搬する際に使用するお盆・トレーなどの運搬器具（以下、キャリアと記載する。）のうち、前記キャリアが一枚の板状材から成り、円形の貫通穴（以下、ホールと記載する。）を有し、このホールにグラスを入れてグラスの自重でホールに引っ掛けて保持する構造のキャリアにおいて、前記キャリアの縁の一部と前記ホールの間に、ホール径よりも小さい寸法幅でキャリアの縁とホールをつなぐ貫通した開口部（以下、開口部と記載する。）を設けたことを特徴とするグラスキャリア。
【請求項２】
請求項１記載のグラスキャリアに、同項記載のホール（円形の貫通穴）と開口部（キャリアの縁の一部とホールの間に設けた、ホール径よりも小さい寸法幅でキャリアの縁とホールをつなぐ貫通した開口部。）と同様の構造部分を複数並べて配置したことを特徴とするグラスキャリア。
【考案の詳細な説明】
【技術分野】
【０００１】
本考案は、グラス・マグ・コップ・カップなどの容器（以下、グラスと記載する。）を運搬・保持するためのお盆・トレーなど（以下、キャリアと記載する。）に関するものである。
【背景技術】
【０００２】
ビアホールやパブ、ワインバー、酒房、料亭など、食事とともにアルコール飲料を提供する飲食店では、顧客に提供するドリンクメニューの一つとして、各店舗の責任者や担当者が独自に抜粋したお薦め品の中から顧客が何種類かを選んで飲用できる「飲み比べセット（テイスティングセット）」を準備しているケースがある。
【０００３】
飲み比べセットは、店舗で通常提供するグラスサイズより小さめのグラスを用いて２〜６種類程度のドリンクを一度に提供する形が一般的で、店舗事情に応じたお盆やトレー・ホルダー（キャリア）に載せられて供される。店舗によっては飲み比べセット専用のオリジナルホルダーを用意しているケースがあるが、店舗ごとに使用しているグラス（形状や大きさなど）が異なる場合が多く、同じ業界内でも共通して使用できるキャリアは作り難く、飲み比べセットメニューを設定する際には特別注文品としてメーカーや業者へ依頼せざるを得ない状況にある。
【０００４】
また、店舗で独自に製作したオリジナルホルダーにおいても、見栄えを優先したため使い勝手の悪いものや構造が複雑で重く大きいもの、素材やデザインにこだわり非常に高価になったもの、などが散見され、提供側の店舗・使用側の顧客双方にとって、必ずしも満足の行く形になっていないのが実情である。
【０００５】
更に、パブやバーなどの潜在的な課題としては、店舗面積が小さく、小さいテーブル（カウンターのみの店舗も少なくない）や狭い通路など、一般的なキャリアを用いての飲食物（特にドリンク）の給仕（運搬・提供・回収などの作業）には細心の注意を要する店舗が多いことがあげられる。このような店舗は一人で来店する客も多いが、人数に係らず同じキャリアを使用するため、店舗内での取廻しが悪くスマートな給仕が難しい。しかしながら、店舗運営者が自ら効率的な運用方法や課題の解決に取組むことは難しく、改善が進んでいないことも事実である。
【０００６】
一方、別のケースとして、イベントやアウトドアシーンにおける飲食物（特にドリンク）提供時の課題がある。ドリンクを安定保持・運搬する道具としては、後述する従来技術にあげた様々なカップホルダーや小型テーブルなどが発明されているが、これらは車中や着座した状態など、限定的な環境下での使用を想定しているものが多い。
【０００７】
例えばフードやドリンクを提供するイベントでは、各店舗単位でプラスティック製や紙製のカップを準備して提供するのが基本であり、飲み比べセットなど複数のドリンクを提供する場合には、各々の店舗に合わせた紙製の組立て式カップホルダー（円形の穴が複数空いており、組立てるとお盆や箱型・出前箱状のホルダーになる。）を用いるのが主流である。このホルダーは一度に沢山のカップを運搬できるため便利だがイベント会場での一時的な利用が前提で、使用後はゴミとして廃棄される。イベント中に繰返し使用する場合でも、ドリンクの液こぼれでホルダが湿って変形したり、強度が無くなったりして使えなくなってしまう場合がある。
【０００８】
また、このカップホルダーは、ホルダー（キャリア）のホールの径を越える底部径を持つ特殊形状のグラス（例えばワイングラスのようにステムと足底部分を持つグラスや、砂時計型グラスのように口部・底部に比べて中間部分が小さくしぼんだグラスなど。）は保持できない。
【０００９】
更に、車中やアウトドアシーン向けのカップホルダー、キャリアは、振動や動きのある車中でのフード・ドリンクの安定した保持や、スキー場やキャンプ場・山岳地帯など足場が不安定な場所での長時間の保持などに対応するため、自動車の座席（シート)や屋外用簡易椅子・テーブルなどに固定する（或いは予め固定されているか既に一部として装備されている）ものが多く、使用する際には一人ひとりがその固定場所で各々使用する形態が主流である。
【００１０】
このように、従来の技術は周囲環境や状況によって限定的に使い分けされている場合や、専用化されているケースが多い。以下、先行技術文献で、更に詳しく従来技術を紹介する。
【先行技術文献】
【特許文献】
【００１１】
【特許文献１】特許公開２００８−８００７２  カップホルダー  手提げ袋型のカップホルダーで一つのカップを携帯できる。決まった形状・サイズのカップ（グラス）を個人が携帯・保持・使用する用途に特化しており、グラスキャリアとしての使用は想定されていない。
【００１２】
【特許文献２】特許公開２０１０−１４８７１４  グラスホルダ及び該グラスホルダを備えたワインクーラー  ワインを飲用する際にテーブルや飲用場所に置いて使用する、ワイン冷却用ポット（ワインクーラー）の上部に取付けるドーナツ型の取外し可能なグラスホルダで、ワインクーラーの縁に沿うように円周上に配置されたグラスホルダーにワイングラスを引っ掛ける構造である。ワイン飲用場所で使用する前提で、グラスキャリアとしての使用は想定されていない。
【００１３】
【特許文献３】特許公開２００６−２７７２８  トレー  多数のグラスを片手で一度に運搬するためのキャリアであり、グラスを側面から支える貫通穴を備える上板と、その下に支柱で結合されたグラスの底を支える底板で構成される。底板下部にはキャリアを置く際の足と、片手で保持する際のハンドルが取付けられている。グラスの効率的・安定的な運搬ができるが、貫通穴でグラスを支えるため、使用するグラスの大きさを決める必要がある。また、構造がやや複雑である。
【００１４】
【特許文献４】特許公開２０１１−２４５１９４  テーブル用カップホルダー  虫眼鏡のフレームの形をしたカップホルダで、円形のフレーム部分に付けられたネットでコップ（紙コップが想定されている）を保持し、握り部分（アーム）に組込まれている磁石と、アームに紐で接続された固定部材（磁石と引き合う性質のものと思われる）でテーブルなどを挟んで固定して使用する。アウトドアでの簡易テーブルへの固定などが想定されており、グラスキャリアとしての使用は想定されていない。
【００１５】
【特許文献５】特許公開２００３−２７５０３５  天板に取付けられるカップホルダー装置  テーブルの天板の裏にネジ止め固定し、その場所で使用するカップホルダーで、グラスキャリアとしての使用は想定されていない。
【００１６】
【特許文献６】特許公開２００４−３０９０９７  ドリンクホルダー付クーラーボックス  可搬型クーラーボックスの天板にカップを保持する穴を設けて簡易テーブルにしたもので、アウトドア使用の簡易テーブルの位置づけであり、グラスキャリアとしての使用は想定されていない。
【００１７】
【非特許文献１】登録実用新案第３０２３０２１号  アウトドア用カップホルダー  アウトドア用のカップホルダー（1つのカップ用）で地面に刺して使用するもので、設置場所で使用する前提であり、グラスキャリアとしての使用は想定されていない。
【００１８】
【非特許文献２】登録実用新案第３１６５１６４号  飲料カップホルダー  カップを側面から支えるツバ状突起を付けた穴をもつ上板と、カップ底を受ける底部からなる２段構成の紙製ホルダーで、イベントなどでの使い捨て使用が前提であり、グラスキャリアとしての使用は想定されていない。
【００１９】
【非特許文献３】登録実用新案第３１７４４１６号  携帯用多機能テーブル  可搬型小物ボックスの天板にカップを保持する穴を設けた、車内・アウトドア用の腿・膝上簡易テーブルであり、グラスキャリアとしての使用は想定されていない。
【００２０】
【非特許文献４】登録実用新案第３１９２２６０号  腿乗せ簡易テーブル  折畳み式の車内・アウトドア用腿乗せテーブル天板に、カップを保持する穴を設けた簡易テーブルであり、グラスキャリアとしての使用は想定されていない。
【００２１】
【非特許文献５】登録実用新案第３００３５９９号  テーブル付ドリンクホルダー  車内用の折畳み小型テーブル付きドリンクホルダーで、前部座席ヘッドレストに固定して使用する。車内使用が前提で、グラスキャリアとしての使用は想定されていない。
【考案の概要】
【考案が解決しようとする課題】
【００２２】
本発明・考案では、グラスの形状やサイズに影響されにくく、グラスを安定して保持・運搬できるグラスキャリアであって、シンプル構造・小型・軽量で、狭い場所での取廻しや小さなテーブル（場所）への配膳が楽であり、人数や状況に応じてドリンク（場合によってはフードも）を運搬・配膳できるグラスキャリアを提供すること、更には、フード・ドリンクイベントやアウトドアでも使用できる携帯性・堅牢性を有しながら、ゴミとならずに繰返し利用できる環境配慮型のグラスキャリアを提供することを目的としている。
【課題を解決するための手段】
【００２３】
上記課題は、硬質の（若干の柔軟性はあっても良い）一枚の板状のグラスキャリアであって、そのキャリア（板材）に設けた円形の貫通穴（ホール）と、そのホールとキャリアの縁の間に、ホール径よりも小さい寸法幅で、ホールと縁をつなぐ貫通した開口部を有する貫通穴・開口部構造（オープンホール構造）を設けることで解決する。
【考案の効果】
【００２４】
本発明のグラスキャリアは、硬質材でできた一枚の板状のキャリアに空けた円形の貫通穴（ホール）部分にグラスを引っ掛けて、グラスの自重でグラス保持する構造であるため、底部径がホール径より小さく口部分がホール径より大きいコニカル型・ラッパ型に類する形状のグラスを保持することができる。また、ホール径よりも大きな底径を有するワイングラス型グラスや砂時計型グラスに類するグラスについても、くびれ部分（ステムなど、底部や口部分よりも小さくすぼんだ径の部分）をキャリアの縁からホールにつながる貫通した開口部（貫通穴とこの開口部を総じて貫通穴（又はホール）・開口部構造と呼ぶ）を通してグラス本体をホール部分まで導いて引っ掛け、保持することができる。従って、貫通穴・開口部構造を並べて複数設けることで、コニカル型・ラッパ型・ワイングラス型・砂時計型など、様々な形状のグラスを一度に同時に保持することができる。キャリアのホールに引っ掛かった状態のグラスは、開口部がホール径よりも小さいため傾いても滑り落ちる危険性が少なく、お盆やトレーなどのキャリアに比較して安定・安全に保持・運搬することができる。
また、底面と口部分の径がホールより大きく中間部分に径の細い部分（ステムやくびれ部分）を持つグラスについては、貫通穴・開口部構造にステムやくびれ部分を通してホールにグラスを保持した状態であれば、逆さ吊り・横向きでもグラスを保持することができるため、例えば天井から吊るしたり、壁に掛けたりするなど、一般的な棚収納以外の収納方法も可能になる。
更に、本発明のキャリアは繰返し使用ができるため、紙製カップホルダーなどの使い捨て型ホルダー・キャリアの課題であるゴミの削減についても配慮した活用ができる。
【図面の簡単な説明】
【００２５】
【図１】本発明の第一の実施例の説明図
【図２】本発明の第二の実施例の説明図
【図３（ａ）】本発明の第三の実施例の説明図
【図３（ｂ）】本発明の第三の実施例の説明図
【図４】本発明の第四の実施例の説明図
【図５】本発明の第一〜第三の実施例の応用例の説明図
【図６】本発明の第二の実施例の別の応用例の説明図
【考案を実施するための形態】
【００２６】
本発明は、ビアパブやワインバー・酒房・フードコートなどの飲食店や、フード・ドリンクイベントなど、料理・飲料（フード・ドリンク）を提供する場において、人が手に持ってグラス（ドリンクが入っている、いないに関わらず、また、場合によってはフードも含めて。）を保持・運搬するためのグラスキャリアを提供するものである。すなわち、キャリアによるグラスの保持・運搬の必要が発生する環境下が実施場所であり、キャリアでグラスを保持・運搬している状態が実施形態である。
【実施例１】
【００２７】
図1は本発明の第一の実施例を示す説明図である。
図1-1は本発明の主要構造を１つ有するキャリアであり、図の上から上面図、正面図（側面図）、下面図を示す（本実施例以降の各実施例においても、図中に記載するキャリアの図示方法は図1-1同様に上から上面図、正面図（側面図）、下面図の順に記載することとし、この記載方法と異なる場合には各図においてその都度説明を加える。）。1aはハゴイタ型スマートキャリアであり、一枚の板状材（本実施例では木製板材を用いた）を素材に、貫通穴（ホール）を設け、そのホールとキャリアの縁の間に、ホールより小さい寸法の幅でつながる貫通した開口部を設けた貫通穴・開口部構造OH-1（以下、オープンホール構造と記載する場合もある。）を有する。
図1-2は、ハゴイタ型スマートキャリア1aでグラスコニカル型グラスG1を保持した状態を示す。コニカル型 グラスG1は、底部分から口部分に向かってグラス径が大きくなる形状で、オープンホールOH-1のホール径に比較して底の径は小さく、口部分の径が大きいため、必ずグラスの中間部分でホール部分に引っ掛かり、安定保持される。
図1-3は、ハゴイタ型スマートキャリア1aで保持できるいくつかの種類のグラスと、それらのグラスの保持例を示した図である。G1は図1-2で示したコニカル型グラス、G2はワイングラス型グラス、G3は砂時計型グラス、G4は脚付きミニグラス、G5はラッパ型グラスである。図1-3でハゴイタ型スマートキャリア1aに保持されているグラスはワイングラス型グラスG2である。このワイングラス型グラスG2は図示する通り、コニカル型グラスG1同様にホール径に比較して口部分の径が大きいため安定して保持することができる。一般に、ワイングラスはステム（細い足の部分）とその下の底部を持つ形状をしているが、グラスを置いた時の安定性確保のために底部の径が大きく作られていることが多く、カップホルダーのカップ用穴の径を超えてしまうケースがあるため注意が必要である。ここで、本発明のグラスキャリア1aを用いると、オープンホール構造OH-1にステムを通してグラス本体部分をホールまで導くことができるため、ワイングラス型グラスG2についても安定して保持することができる。同様に、砂時計型グラスG3はオープンホール構造OH-1 にグラス中間部にあるくびれた部分を通すことで、脚付きミニグラスG4はワイングラス型G2と同じステムを通す方法で対応でき、ラッパ型グラスG5については、コニカル型グラスG1と同じ方法で対応できるため、グラス本体の一部にホール径より細い部分を持つ様々な形状・サイズのグラスを保持することができる。つまり、各グラスの口部分側の最大径がホール径を下回らず、グラス径の小さい部分（くびれ部分）の径が開口部幅を上回ることが無ければ、本発明のハゴイタ型スマートキャリア1aのホールによって安定してグラスを保持することができる。この特徴は、以降に説明する全ての実施例に共通する。
オープンホール構造OH-1のホール径・開口部幅は、使用するグラスによって適正値を選ぶのが望ましい。本実施例では、ホール径60mm、開口部幅45mmのオープンホール構造を採用しているが、ステムやくびれ部分を持つグラスの場合はこれより小さめの開口部幅を、ノニック型グラス（図示はしないが、英国のパブなどで多用される大型の寸胴なグラスで、積み重ね（スタック）対応のために口部分に近い上部に最大の径となる膨らみを持つ形状をしている。）など大型のグラスの場合は大きめのホール径を、それぞれ設定するのが好ましい。
注意事項として、底部から口部分まで径が同じシリンダー型グラスや、底部分の径が最も大きいフラスコ型グラスは、その形状からホールにグラスを引っ掛けるという保持方法が実現できないため、本発明のグラスキャリア1aは使用することができない。また、上記で説明したキャリア1a保持できるコニカル型・ワイングラス型・砂時計型・ラッパ型のグラスと同じ形状であっても、グラスの最大径がホール径より小さいグラスはキャリアから落下するか、或いは落下の恐れがあるため、本発明のグラスキャリアは使用することができない（この注意事項の制約は、本実施例以降に記載する本発明の実施例の全てのキャリアに共通する。）。
図1-4はハゴイタ型スマートキャリア1aに脚1b-1、1b-2、1b-3を取付けた実施例である。脚1b-1〜1b-3をつけることで、例えばキャリアをテーブル上などに置いた際に各々のグラスがキャリアのホールから離れて自立し、キャリアへの抜差しがスムーズになると共に、グラス・或いはキャリアが動いた際にグラスを側面から支える転倒防止のホルダーとして使用することができる。取付ける脚の形状に制約は無いため、例えばキャリアそのものを金属やプラスティックなど変形可能な素材で製作した場合には、縁部分を折曲げて脚の代用とすることもできる。
図1-5は、脚1b-1、1b-2、1b-3を取付けたハゴイタ型スマートキャリア1aでグラスG1を保持した状態を示すものであり、グラスの保持方法は図1-2で説明した通りである。
図1-6は、脚1b-1、1b-2、1b-3を取付けたハゴイタ型スマートキャリア1aで保持できるグラスG1〜G5 を示したものであり、保持しているグラスがG5のラッパ型グラスである以外は、図1-3の説明と同様である。
ハゴイタ型スマートキャリア1a特有のメリットとして、グラスを保持すると同時にキャリア上の空きスペースを使って他の物を運搬できることがあげられる。ハゴイタ型スマートキャリアは羽子板（ラケット）の形をしており、羽子板の特徴である細くなった（人が片手で握る）持ち手部分と広い板状の（羽を打つ）部分を有する。このため持ちやすく、片手でも楽に取扱いができるが、図1から分かるようにオープンホール構造OH-1は持ち手側（手で持つ側）に寄っており、これによってドリンク（グラス)運搬時の安定性が確保できる。また、広い板状の部分（空きスペース）があるので、ここにフードなどを載せて運搬したり、片手で持って立ったまま飲食したりすることもできる。更に、持ち手部分には手さげ型の袋を吊り掛けることができるため、例えばここにゴミ袋を吊り掛ければ、ゴミ袋付きのハンディテーブル・土リンクホルダーとしてコンサート会場やフード・ドリンクイベントなど様々なシチュエーションで利用が可能になる。また、オープンホール構造は、後から追加工で数を増やすことができるので、例えばハゴイタ型スマートキャリア1aに二つ目のオープンホール構造OH-2を設けてペア（2人）用ハンディテーブルとするなど、バリエーション展開を図ることができる。
【実施例２】
【００２８】
図2は本発明の第二の実施例を示す説明図である。
図2-1は本発明のオープンホール構造OH-2a〜OH-2eを計5つ、横に並べて配置したくし型キャリア2aの構造である。
図2-2はくし型キャリア2aでコニカル型グラスG1を保持した例を示し、図2-3はくし型キャリア2aで保持できるいくつかの種類のグラスG1〜G5（実施例1で使用・説明したグラス同じであるため説明を割愛する）と、それらのグラスを保持した様子を示す。
図2-4はくし型キャリア2aに脚2b-1、2b-2、2b-3、2b-4を取付けた実施例であり、図2-5は脚2b-1〜2b-4を取付けたくし型キャリア2aでコニカル型グラスG1を保持した例、図2-6はG1〜G5と、それらのグラスを保持した例である。
図2で説明したくし型キャリア2aは、例えばバー・カウンターの内と外で一度に複数のグラスを受渡しする際や、異なるドリンク（グラス）を一度に運搬する場合、あるいは飲み比べセット（同じ飲料種の異なる味わいの物を比べ飲みするセットメニュー）の提供などで機能を発揮する。狭い店内のバー・カウンターでは、一般的なお盆やトレーを用いたカウンター内外のグラスのやりとりは取廻しが大変な作業の一つである。ここで、例えばカウンター外のスタッフがくし型キャリア2aを用いて開口部をカウンタ内に向けると、カウンター内のスタッフのドリンク（グラス）の出し入れがスムースになる。同時にカウンター外のスタッフは、カウンター内のスタッフがくし型キャリア2aにセットした状態のままグラスを受取って保持・運搬し、スムースに顧客に配膳することができる（カウンター内に向くのと同じで顧客側に向けた状態で提供できる）。テーブルからの下げ膳時（グラス回収時）はこの逆で、カウンター外スタッフが顧客側に向けた状態のくし型グラスキャリアにグラスを入れてカウンターに持帰り、カウンター内に向けて置けば、カウンター内のスタッフはスムースにグラスを回収することができる。更に、くし型キャリア2aは片手で持つこともでき、グラス運搬後、カウンターやテーブルにグラスが着いた際に、開口部の高さをグラスのくびれ部分に合わせてホールから開放される位置にすれば、片手のみの一動作でキャリアの抜差しを行うことができる。
【実施例３】
【００２９】
図3は本発明の第三の実施例を示す説明図である。
図3-1はオープンホール構造OH-3a〜OH-3dを4つ、2つずつ2列（四角形）に並べ、中央付近に貫通穴（ホール）H-3a・H-3bを設けたハゴイタ型キャリア3aの構造を示す。
図3-2はハゴイタ型キャリア3aでコニカル型グラスG1を保持した例を示し、図3-3はハゴイタ型キャリア3aで保持できるいくつかの種類のグラスG1〜G5（実施例1で使用・説明したグラス同じであるため説明を割愛する）と、それらのグラスを保持した様子を示す。
図3-4はハゴイタ型キャリア3aに脚3b-1、3b-2、3b-3を取付けた実施例であり、図3-5は脚3b-1〜3b-3を取付けたハゴイタ型キャリア3aでコニカル型グラスG1を保持した例、図3-6はG1〜G5と、それらのグラスを保持した例である。
ハゴイタ型キャリア3aは、小型のテーブル席やボックス席の２〜４人程度の少人数グループへの給仕や、飲み比べセットの配膳に適しており、例えば中央部分のホールH-3a、H-3bにお通しやおつまみの小皿やカップを載せて飲み物と一緒に提供するなど、キャリアに載せたままで配膳するケースで機能を発揮する（もちろん、ホールH-3a、H-3bは無くてもキャリア機能に影響は無く、その分の空きスペースに皿料理などを載せてドリンクと一緒に提供することもできる。）。ハゴイタ型キャリア3aは、実施例１で説明したハゴイタ型スマートキャリア1a同様の羽子板（ラケット）の形をしている（羽子板の特徴については既に説明したので割愛する）。ハゴイタ型キャリア3aでは、羽子板のラケット面に相当する部分にオープンホール構造OH-3a〜OH-3dとホールH-3a・H-3bをコンパクトに集めており、キャリア全体のサイズが小さくなるように設計されている。このため持ち手部分を片手で持って、狭い店内で運搬・配膳するのに適しており、特に小型テーブルのグループへの多種ドリンクやつまみ類の配膳時に便利である。配膳後もドリンクホルダーとしてテーブル上で使え、場合によっては顧客自身が運搬したり、使用後に返却することもできる。
図3-7はハゴイタ型キャリア3aにコースターシート3d用のフック3cを設けた例である。コースターシート3dはドリンクの水分を吸収する素材でできており（本実施例ではコルクを使用した）、貫通ホールH-3c部分でフック3cに引っ掛けた状態でグラスG1〜G5と共に運搬し、配膳先のテーブルでフック3cから外し、倒して、その上にハゴイタ型キャリア3aを配膳する。これら一連の運搬・配膳動作は全て片手のみで行うことができるため、両手に物を持って運搬・配膳するケースなどで効果を発揮する。
図3-8はハゴイタ型キャリア3aのオープンホール構造OH-3a〜OH-3dを貫通ホールH-3c〜H-3fで構成したオリジナルハゴイタ型キャリア3aiである。ハゴイタ型キャリア3aの製作過程で得られる形状で、例えば飲み比べセットなど、使用するグラスが決まっている場合には、このオリジナルハゴイタ型キャリア3aiの形状でも全く問題ない。
【実施例４】
【００３０】
図4は本発明の第四の実施例を示す説明図である。
図4-1は、オープンホール構造OH-4a〜OH-4dを4つ、円周上に並べた〇盆型キャリア4aの構造を示す。
図4-2は〇盆型キャリア4aでコニカル型グラスG1を保持した例を示し、図4-3は〇盆型キャリア4aで保持できるいくつかの種類のグラスG1〜G5（実施例1で使用・説明したグラス同じであるため説明を割愛する）と、それらのグラスを保持した例を示す。
図4-4は〇盆型キャリア4aに脚4b-1、4b-2、4b-3を取付けた実施例であり、図4-5は脚4b-1〜4b-3を取付けた〇盆型キャリア4aでコニカル型グラスG1を保持した例、図4-6はG1〜G5と、それらのグラスを保持した例である。
〇盆型キャリア4aは、円の中心から周縁に向かうに従って高さを増す木製の円形のお盆を素材として製作しており、円周上の偏った４箇所にオープンホール構造OH-4a〜OH-4dを設けている。このため、オープンホール構造の無い部分に広い空きスペースが確保され、熱い皿料理などのフード容器をドリンク（グラス）と同時に載せて運搬・配膳することができる。〇盆型で縁部分が高いため、運搬時のフードの滑り落ちも防ぐことができる。また、全体がコンパクトに設計されているため、ハゴイタ型キャリア3a同様に狭いスペースでの取廻しが良く、小さいテーブルへの配膳も容易である。
【実施例５】
【００３１】
図5は実施例１、実施例２、及び実施例３の応用例である。
図5-1は、端部に3つの輪5a-c1〜5a-c3と長さ調節用のストッパー5a-g1を有するひも状のストラップ5aを示す。このストラップ5aは、例えば図5-2に示すように、ハゴイタ型スマートキャリアの脚1b-2・1b-3と持ち手部分に3つの輪5a-c1〜5a-c3を通し掛けて使用する。こうすることで、ストラップ5a部分を手に持てば手提げ型キャリアに、首に掛ければハンズフリーの首掛けテーブルになるという特有の効果がある。ハゴイタ型キャリア3aについても同様で、図5-3に示すようにオープンホール構造の縁の一部と持ち手部分に3つの輪5a-c1〜5a-c3を通し掛けることで、同様の特有の効果が得られる。ハンズフリーの首掛けテーブルは、イベント・コンサート会場や大規模フード・ドリンクイベントで立食が必要なケースや、フード・ドリンクを持ったまま携帯型端末（モバイルフォンやタブレット端末など）を操作したい場合などに便利である。
図5-4は、端部に4つの輪5b-c1〜5b-c4と長さ調節用のストッパー5b-g1を有するひも状のストラップ5bを示す。このストラップ5bもストラップ5a同様の使用方法であり、図5-5に示すようにくし型キャリア2aの脚2b-1〜2b-4に4つの輪5b-c1〜5b-c4を通し掛けることで、ストラップ5a部分を手に持てば手提げ型キャリアに、首に掛ければハンズフリーの首掛けテーブルになるという特有の効果が得られる。くし型キャリア2aは一度に沢山のグラス（又はカップやカップ入りのフード）を保持できるため、特にドリンクイベントにおけるのみ比べで便利に利用できる。
【実施例６】
【００３２】
図6は本発明の実施例２の別の応用例である。
ビアパブやワインバーなどでは、同じ形状でサイズの異なるグラスを使用することがある。例えば図6-1にG6で示す足つきラッパグラスのように、大サイズG6-L、中サイズG6-M、小サイズG6-Sのように、基本の形が同じグラスは、n1-n2の矢印入りの点線で示すグラスの細い部分（くびれ部分）の径がほぼ同じである場合が多い。このようなケースでは、使用グラスのくびれ部分の寸法に合わせてオープンホール構造OH-2ai〜OH-2eiを作ることで、店舗オリジナルのくし型キャリア2aiを作ることができる。図6-2はオリジナルくし型キャリア2aiでグラスG6を保持した例で、G6-Mを5脚保持した例、G6-L/M/Sを混在して保持した例を示す。
オリジナルくし型キャリア2ai特有のメリットとして、反転使用や横置き使用が可能になる点があげられる。例えば、図6-3、図6-4に示すように反転（逆さまに）してグラスを吊る形で保持することができる。グラスの逆さ吊りは空間を有効活用しながら安定した保持ができ、洗浄後のグラスの乾燥も兼用できるため、ワインバーなどで採用されているケースがある。しかし、グラスを保持する仕掛けは天井やカウンター上部に、構造的にしっかりと固定された（或いは建物に作り付けの）ものが多く、分解してキャリア単体で取り外し使用することは想定されていない。オリジナルくし型キャリア2aiは、例えばキャリアの両端（縁部分）を支えられる間隔で二本の棒材を天井から吊る（或いは壁から突き出る形に固定する）などの簡単な仕掛けを設ければ、反転（逆さ吊り）使用が可能となる。また、図6-5に示すように、壁6aにオリジナルくし型キャリア2aiの縁の一部が挟まる6b-1、6b-2のようなフック構造を設けて、グラスを横向きに保持する壁掛け型のグラスホルダとして兼用することもできる。
【産業上の利用可能性】
【００３３】
（その１）本発明のグラスキャリアは基本構造がシンプルであり、製造時に熟練技術を必要としないため、手作り・機械加工製造を問わず、個人から企業まで、現存設備・装置や手馴れた加工技術・工程で製作することができる。
【００３４】
（その２）本発明のグラスキャリアは、例えば素材に金属板やプラスチック材を利用する場合、プレス加工や高温加工による一体成型が可能である。従って金型をおこせば、既に大規模設備を有する工業製品製造業者において製品化・大量生産ができる。
【００３５】
（その３）本発明グラスキャリアのホール・開口部構造・仕様をパブ・レストラン等飲食産業分野に公開することで、業界のキャリア仕様の共通化を図る足がかりにできると共に、この仕様を踏襲したキャリアの使用による給仕業務の効率化や顧客の使い勝手向上などが期待できる。
【００３６】
（その４）本発明のグラスキャリアの使用により、グラスを保持・運搬する際の安全性が確保され、足場が不安定な場所（例えばスキー場やキャンプ場、山岳地帯、乗り物の中、など。）で簡易テーブルとして使用できる。また、開口部を利用してゴミ袋を携帯することでゴミを削減したり、キャリアそのものを使い捨て型から再利用型に切り替えるなどのリサイクル意識向上が図れ、環境配慮活動に貢献できる。このため、アウトドア用品として同産業で幅広い製品展開が期待できる。
【００３７】
（その５）本発明のグラスキャリアは、映画館やコンサートホール、エキシビジョン（展示会）会場などにおける人混みの中や狭い空間での飲食物の運搬と安全性の確保、立ったままの飲食、ゴミの削減など、大規模施設に共通した飲食物提供形態の課題解決策として、大規模施設運用産業での活用が期待できる。
【００３８】
（その６）ドリンク・フードイベント・祭りなど、イベント産業において飲料・食品を同時に提供する際に本発明のグラスキャリアを用いることで、運搬時の安全性と給仕作業の効率化を同時に実現できると共に、グラス・食器類（皿やカップなど）の容器を一本化することで、ゴミや容器類コストの削減が期待でき、更に、個人が本発明のグラスキャリアを各種イベントに持参することが習慣化すれば、リサイクル・エコ意識の向上による環境配慮型社会、及び同産業分野への間接的な貢献が期待できる。
【符号の説明】
【００３９】
1a：ハゴイタ型スマートキャリア
1b-1〜1b-3：脚
OH-1：オープンホール
2a：くし型キャリア
2ai：オリジナルくし型キャリア
2b-1〜2b-4：脚
2b-1i〜2b-4i：脚
OH-2a〜OH-2e：オープンホール
OH-2ai〜OH-2ei：オープンホール
3a：ハゴイタ型キャリア
3ai：ハゴイタ型キャリア
3b-1〜3b-3：脚
3c：フック
3d：コースターシート
3ai：オリジナルハゴイタ型キャリア
OH-3a〜OH-3d：オープンホール
H-3a〜H-3f：ホール
4a：〇盆型キャリア
4b-1〜4b-3：脚
OH-4a〜OH-4d：オープンホール
5a：ストラップ
5a-c1〜5a-c3：（ストラップの）輪
5a-g1：（ストラップの）ストッパー
5b：ストラップ
5b-c1〜5b-c4：（ストラップの）輪
5b-g1：（ストラップの）ストッパー
6a：壁
6b-1〜6b-2：フック構造
G1：コニカル型グラス
G2：ワイングラス型グラス
G3：砂時計型グラス
G4：脚付きミニグラス
G5：ラッパ型グラス
G6-L/M/S：脚付きラッパグラス（大／中／小）
【図１】
0003199427.tif 000003
【図２】
0003199427.tif 000004
【図３（ａ）】
0003199427.tif 000005
【図３（ｂ）】
0003199427.tif 000006
【図４】
0003199427.tif 000007
【図５】
0003199427.tif 000008
【図６】
0003199427.tif 000009